(57)【要約】      （修正有）【課題】温度を下げ、汗を吸収し、紫外線を防ぐ機能を有し、実用性に優れるクールタオルを提供する。【解決手段】クールタオルは冷感糸および非冷感糸を含み、冷感糸および非冷感糸を相互に交織りして、凹状孔１を有する織物構造を形成する。冷感糸は接触冷感値Ｑｍａｘが０．２Ｗ／ｃｍ２より大きい紡績糸であり、非冷感糸は接触冷感値Ｑｍａｘが０．２Ｗ／ｃｍ２より小さい紡績糸である。【選択図】図１
0003204842.tif 000002
【実用新案登録請求の範囲】
【請求項１】
クールタオルであって、冷感糸および非冷感糸を含み、冷感糸および非冷感糸を相互に交織りして、凹状孔（１）を有する織物構造を形成し、冷感糸は接触冷感値Ｑｍａｘが０．２Ｗ／ｃｍ２より大きい紡績糸であり、非冷感糸は接触冷感値Ｑｍａｘが０．２Ｗ／ｃｍ２より小さい紡績糸であり、
クールタオルの織物構造がガーゼ層（２）と、ガーゼ層（２）の上面に位置する第１凹状孔層（３）と、ガーゼ層（２）の底面に位置する第２凹状孔層（４）とを含み、第１凹状孔層（３）に第１凹部（３１）を有し、第２凹状孔層（４）に第２凹部（４１）を有し、第１凹状孔層（３）の各第１凹部（３１）が、第２凹状孔層（４）の複数の第２凹部（４１）とガーゼ層（２）の網目を通して連通し、これにより前記凹状孔（１）が形成されることを特徴とするクールタオル。
【請求項２】
第２凹状孔層（４）の第２凹部（４１）の数が、第１凹状孔層（３）の第１凹部（３１）の数より多く、第１凹状孔層（３）の第１凹部（３１）のサイズが、第２凹状孔層（４）の第２凹部（４１）のサイズより大きいことを特徴とする、請求項１に記載のクールタオル。
【請求項３】
織物構造が複数の凹状孔（１）を有し、該複数の凹状孔（１）が織物構造に均等に分布することを特徴とする、請求項１に記載のクールタオル。
【請求項４】
前記第１凹部（３１）の内部にさらに突起部（３２）が設けられることを特徴とする、請求項１に記載のクールタオル。
【考案の詳細な説明】
【技術分野】
【０００１】
本考案はメリヤス製品の分野に関し、特にクールタオルに関する。
【背景技術】
【０００２】
クールタオルは、首に巻く細長い布である。運動すると、人は大量の汗をかくが、頭部の汗は流れて目に入りやすいため、運動する人の視覚の邪魔になる。このとき、クールタオルは汗を拭きとることができると同時に、汗を拭く過程で、温度を下げる作用を実現することができる。しかしながら、既存のクールタオルの表面はごわごわで、手触りが悪く、吸収性が劣る。他に、クールタオルは多量の汗を吸収すると、クールタオル中の水分を急速に散逸させることができず、温度を下げる作用を示すことができない。
【考案の概要】
【考案が解決しようとする課題】
【０００３】
本考案の目的は、既存のクールタオルの表面がごわごわで、手触りが悪く、吸水性が劣る問題に対して、吸水性が良好で、表面が滑らかなクールタオルを提供することである。
【課題を解決するための手段】
【０００４】
その技術的問題を解決する本考案の技術案は、以下の通りである。
本考案はクールタオルを示しており、冷感糸および非冷感糸を含む。冷感糸および非冷感糸を相互に交織りして、凹状孔を有する織物構造を形成する。冷感糸は接触冷感値Ｑｍａｘが０．２Ｗ／ｃｍ２より大きい紡績糸であり、非冷感糸は接触冷感値Ｑｍａｘが０．２Ｗ／ｃｍ２より小さい紡績糸である。
クールタオルの織物構造はガーゼ層と、ガーゼ層の上面に位置する第１凹状孔層と、ガーゼ層の底面に位置する第２凹状孔層とを含む。第１凹状孔層に第１凹部を有し、第２凹状孔層に第２凹部を有する。第１凹状孔層の各第１凹部は、第２凹状孔層の複数の第２凹部とガーゼ層の網目を通して連通し、これにより前記凹状孔が形成される。
【０００５】
本考案の上記クールタオルにおいて、第２凹状孔層の第２凹部の数は、第１凹状孔層の第１凹部の数より多く、第１凹状孔層の第１凹部のサイズは、第２凹状孔層の第２凹部のサイズより大きい。
【０００６】
本考案の上記クールタオルにおいて、織物構造は複数の凹状孔を有し、該複数の凹状孔は織物構造に均等に分布する。
【０００７】
本考案の上記クールタオルにおいて、前記第１凹部の内部にさらに突起部が設けられる。
【０００８】
本発明のクールタオルにおいて、既存の織り技術により、好ましくはハニカム３Ｄ立体織り技術により、クールタオルに複数の凹状孔が分布する。また、クールタオルの凹状孔により、クールタオルの表面積が増加し、クールタオルの毛細管効果が高まり、これにより熱量および水分の排出に有利である。本発明のクールタオルはさらに３層の複合織物構造を採用する。該織物構造のヒトの皮膚に密着する第２凹状孔層は比較的密集した第２凹部を有し、これにより第２凹状孔層の手触りを改善し、織物構造の吸湿性能の速度も高めた。したがって、本発明のクールタオルは温度を下げ、汗を吸収し、紫外線を防ぐ機能を有し、実用性に優れる。
【図面の簡単な説明】
【０００９】
以下、図および実施例を組み合わせて、本考案についてさらに説明する。
【００１０】
【図１】図１は、本考案の第１実施例におけるクールタオルの立体概要図である。
【図２】図２は、図１に示すクールタオルの構造概要図である。
【図３】図３は、本考案の第２実施例におけるクールタオルの立体概要図である。
【図４】図４は、図３に示すクールタオルの構造概要図である。
【考案を実施するための形態】
【００１１】
本考案が解決しようとする技術的問題は、既存のクールタオルの表面がごわごわで、手触りが悪く、吸水性が劣ること、他に、クールタオルは多量の汗を吸収すると、クールタオル中の水分を急速に散逸させることができず、温度を下げる作用を示すことができないことである。本考案が示す該技術的問題を解決する技術的構想としては、既存の織り技術により、クールタオルに複数の凹状孔が分布し、またクールタオルの凹状孔により、クールタオルの表面積が増加し、これによりクールタオルの毛細管効果を高めた。クールタオルの表面積の増加は、クールタオルに吸収された水分の散逸を速め、これにより温度を下げる機能を実現する。
【００１２】
当業者の理解および本考案の実施に都合がよいように、以下に、図および具体的実施例を組み合わせて、本考案についてさらに詳細な説明を行う。
【実施例】
【００１３】
第１実施例
図１を参照されたい。図１は、本考案の第１実施例におけるクールタオルの立体概要図である。
【００１４】
図１に示すように、クールタオルは冷感糸および非冷感糸を含み、冷感糸および非冷感糸を相互に交織りして、凹状孔１を有する織物構造を形成する。冷感糸は接触冷感値Ｑｍａｘが０．２Ｗ／ｃｍ２より大きい紡績糸であり、非冷感糸は接触冷感値Ｑｍａｘが０．２Ｗ／ｃｍ２より小さい紡績糸である。ここで、凹状孔１の形状は方形、円形、その他の多角形または異形などでよい。
【００１５】
ここで、冷感糸はモイスチャーウィッキング繊維である。冷感糸を衣料に用いると、皮膚の表層の湿気および汗を急速に吸収して、衣料の表面に伝達、拡散させることができ、たとえ多湿環境であっても、皮膚が乾燥して、さわやかな状態を保持することができる。好ましくは、いくつかの実施例において、冷感糸は十字形の断面を有し、織物の機能性および質感をより高めることができる。さらに、冷感糸は雲母、ナイロン複合糸、ポリエステル、ナイロン複合糸などでよい。非冷感糸は天然繊維、合成繊維などでよい。
【００１６】
図１に示すように、織物構造は複数の凹状孔１を有し、該複数の凹状孔１は織物構造に均等に分布する。密集した凹状孔１がヒトの皮膚に接触することにより、空気を通すことができる１つの微小環境が構成される。これにより、ヒトの汗を吸着する作用を示す柔らかい孔構造が形成され、汗または湿気を急速に拡散させることができ、粘着感が生じるのを防止する。
【００１７】
好ましくは、図１に示すように、本実施例における、織物構造の凹状孔１は均等に分布する。その他のいくつかの実施例において、織物構造の凹状孔１が不均等に分布してもよいことを理解することができる。
【００１８】
図２を参照されたい。図２は、図１に示すクールタオルの構造概要図である。
【００１９】
図２に示すように、クールタオルの織物構造は３層構造であり、中間に位置するガーゼ層２と、ガーゼ層２の上面に位置する第１凹状孔層３と、ガーゼ層２の底面に位置する第２凹状孔層４と、を含む。第１凹状孔層３に第１凹部３１を有し、第２凹状孔層４に第２凹部４１を有する。第２凹状孔層４の第２凹部４１の数は、第１凹状孔層３の第１凹部３１の数より多く、第１凹状孔層３の第１凹部３１のサイズは、第２凹状孔層４の第２凹部４１のサイズより大きい。また、第１凹状孔層３の各第１凹部３１は、第２凹状孔層４の複数の第２凹部４１とガーゼ層２の網目を通して連通し、これにより前記凹状孔１が形成される。ここで、第２凹状孔層４は、第２凹部４１の数が多く、サイズが小さいのに対し、第１凹状孔層３は、第１凹部３１の数が少なく、サイズが大きい。したがって第２凹状孔層４の手触りは滑らかで快適であるが、第１凹状孔層３は手触りが少しごわごわしており、このようにして、第２凹状孔層４はヒトの皮膚に密着することができる。同時に、１つの凹状孔１内に複数の第２凹部４１を有し、該複数の凹部４１は織物構造の毛細管効果を高めることができ、これにより織物構造の吸湿性能を高める。
【００２０】
本実施例において、織物構造の前記「３層構造」は、織物構造の各部分の特徴および機能によって区分するものであり、織物構造が３層の独立した構造からなることを指すとは限らない。織物構造の生産過程において、織物構造は一体成型でも、複数の層を複合してもよい。
【００２１】
第２実施例
第２実施例および第１実施例を比較すると、違いは第１凹状孔層３の構造にある。
【００２２】
図３を参照されたい。図３は、本考案の第２実施例におけるクールタオルの立体概要図である。
【００２３】
図３に示すように、クールタオルは冷感糸および非冷感糸を含み、冷感糸および非冷感糸を相互に交織りして、凹状孔１を有する織物構造を形成する。冷感糸は接触冷感値Ｑｍａｘが０．２Ｗ／ｃｍ２より大きい紡績糸であり、非冷感糸は接触冷感値Ｑｍａｘが０．２Ｗ／ｃｍ２より小さい紡績糸である。ここで、凹状孔１の形状は方形、円形、その他の多角形または異形などでよい。
【００２４】
ここで、冷感糸はモイスチャーウィッキング繊維である。冷感糸を衣料に用いると、皮膚の表層の湿気および汗を急速に吸収して、衣料の表面に伝達、拡散させることができ、たとえ多湿環境であっても、皮膚が乾燥して、さらさらの状態を保持することができる。好ましくは、いくつかの実施例において、冷感糸は十字形の断面を有し、織物の機能性および質感をより高めることができる。さらに、冷感糸は雲母、ナイロン複合糸、ポリエステル、ナイロン複合糸などでよい。非冷感糸は天然繊維、合成繊維などでよい。
【００２５】
図３に示すように、織物構造は複数の凹状孔１を有し、該複数の凹状孔１は織物構造に均等に分布する。密集した凹状孔１がヒトの皮膚に接触することにより、空気を通すことができる１つの微小環境が構成される。これにより、ヒトの汗を吸着する作用を示す柔らかい孔構造が形成され、汗または湿気を急速に拡散させることができ、粘着感が生じるのを防止する。
【００２６】
好ましくは、図３に示すように、本実施例における、織物構造の凹状孔１は均等に分布する。その他のいくつかの実施例において、織物構造の凹状孔１が不均等に分布してもよいことを理解することができる。
【００２７】
図４を参照されたい。図４は、図３に示すクールタオルの構造概要図である。
【００２８】
図４に示すように、クールタオルの織物構造は３層構造であり、中間に位置するガーゼ層２と、ガーゼ層２の上面に位置する第１凹状孔層３と、ガーゼ層２の底面に位置する第２凹状孔層４と、を含む。第１凹状孔層３に第１凹部３１を有し、第２凹状孔層４に第２凹部４１を有する。第２凹状孔層４の第２凹部４１の数は、第１凹状孔層３の第１凹部３１の数より多く、第１凹状孔層３の第１凹部３１のサイズは、第２凹状孔層４の第２凹部４１のサイズより大きい。また、第１凹状孔層３の各第１凹部３１は、第２凹状孔層４の複数の第２凹部４１とガーゼ層２の網目を通して連通し、これにより前記凹状孔１が形成される。ここで、第２凹状孔層４は、第２凹部４１の数が多く、サイズが小さいのに対し、第１凹状孔層３は、第１凹部３１の数が少なく、サイズが大きい。したがって、第２凹状孔層４の手触りは滑らかで快適であるが、第１凹状孔層３の手触りは少しごわごわしており、このようにして、第２凹状孔層４はヒトの皮膚に密着することができる。好ましくは、本実施例において、第１凹部３１の内部にさらに突起部３２が設けられる。突起部３２により、本実施例における第１凹状孔層３の手触りを、第１実施例の第１凹状孔層３と比較してより滑らかにすることができると同時に、さらに第１凹状孔層３の表面積を増加させることができ、織物構造の放熱性能を高める。同時に、１つの凹状孔１内に複数の第２凹部４１を有し、該複数の凹部４１は織物構造の毛細管効果を高めることができ、これにより織物構造の吸湿性能を高める。
【００２９】
本実施例において、織物構造の前記「３層構造」は、織物構造の各部分の特徴および機能によって区分するものであり、織物構造が３層の独立した構造からなることを指すとは限らない。織物構造の生産過程において、織物構造は一体成型でも、複数の層を複合してもよい。
【００３０】
本発明のクールタオルにおいて、既存の織り技術により、好ましくはハニカム３Ｄ立体織り技術により、クールタオルに複数の凹状孔が分布する。また、クールタオルの凹状孔により、クールタオルの表面積が増加し、クールタオルの毛細管効果が高まり、これにより熱量および水分の排出に役立つ。本発明のクールタオルはさらに３層の複合織物構造を採用する。該織物構造のヒトの皮膚に密着する第２凹状孔層は比較的密集した第２凹部を有し、これにより第２凹状孔層の手触りを改善し、織物構造の吸湿性能の速度も高めた。したがって、本発明のクールタオルは温度を下げ、汗を吸収し、紫外線を防ぐ機能を有し、実用性に優れる。
【００３１】
当業者は、上記の説明に基づいて、改良または変更を行うことができるが、これらの改良および変更のいずれも、本考案に添付する実用新案登録請求の範囲の保護範囲に属することを理解するべきである。
【図１】
0003204842.tif 000003
【図２】
0003204842.tif 000004
【図３】
0003204842.tif 000005
【図４】
0003204842.tif 000006